(57)【要約】  ネットワークにより実行され、ネットワークシステムに対してＰ２Ｐ通信のシステム容量を増加する方法は、Ｐ２Ｐ通信モードにおけるアクティブＰ２Ｐ  ＵＥの位置及びＰ２Ｐ通信を確立しようと試みる２つのＵＥの位置を検出するステップ（Ｓ３０）と、検出された位置情報によって、前記２つのＵＥのいずれかが前記２つのＵＥを除くいずれかのアクティブなＵＥのラジオレンジに入るかどうかを判断するステップ（Ｓ４０）と、前記判断の結果によって、前記２つのＵＥがＰ２Ｐ通信を実行することができるように前記２つのＵＥに対して関連した無線リソースを割り当てるステップとを有する。
2007512755.tif 000002
【特許請求の範囲】
【請求項１】
ネットワークシステムにより実行され、Ｐ２Ｐ通信システム容量を増加する方法において、
（ａ）Ｐ２Ｐ通信モードにおいてアクティブＰ２Ｐ  ＵＥの位置及びＰ２Ｐ通信を確立しようと試みる２つのＵＥの位置を検出するステップと、
（ｂ）検出された位置情報によって、前記２つのＵＥのいずれかが前記２つのＵＥを除くいずれかのアクティブなＵＥのラジオレンジに入るかどうかを判断するステップと、
（ｃ）前記判断の結果によって、前記２つのＵＥがＰ２Ｐ通信を実行することができるように前記２つのＵＥに対して対応する無線リソースを割り当てるステップと、
を有する方法。
【請求項２】
前記無線リソースが、タイムスロット及びチャネル符号についての情報を少なくとも含む、請求項１に記載の方法。
【請求項３】
前記ステップ（ｃ）が、
（ｃ１）判断されたＵＥが前記ラジオレンジに入る場合に前記判断されたＵＥに対して前記アクティブＰ２Ｐ  ＵＥのチャネル符号とは異なるチャネル符号を割り当てるステップ、
を含む、請求項１に記載の方法。
【請求項４】
（ｄ）前記判断されたＵＥ及び前記アクティブＰ２Ｐ  ＵＥが同じタイムスロットに割り当てられているかどうかを決定するステップと、
（ｅ）前記判断されたＵＥ及び前記アクティブＰ２Ｐ  ＵＥが同じタイムスロットに割り当てられ、前記判断されたＵＥが前記ラジオレンジに入る場合に、前記判断されたＵＥに対して前記アクティブＰ２Ｐ  ＵＥのチャネル符号とは異なるチャネル符号を割り当てるステップと、
を更に有する、請求項３に記載の方法。
【請求項５】
前記ステップ（ｃ１）が、
前記判断されたＵＥが前記ラジオレンジに入る場合に、前記判断されたＵＥと前記アクティブＰ２Ｐ  ＵＥとの間の位置関係についてのレコードフラグを所定の値としてセットするステップと、
前記アクティブＰ２Ｐ  ＵＥの前記レコードフラグによって、前記判断されたＵＥに対して前記アクティブＰ２Ｐ  ＵＥのチャネル符号とは異なるチャネル符号を割り当てるステップと、
を含む、請求項３に記載の方法。
【請求項６】
前記位置情報が、前記ステップ（ａ）において前記２つのＵＥ及び前記アクティブＰ２Ｐ  ＵＥのレポートメッセージから又はＧＰＳを介して得られる、請求項１に記載の方法。
【請求項７】
前記判断されたＵＥが前記ラジオレンジに入らない場合に、前記判断されたＵＥに対して前記アクティブＰ２Ｐ  ＵＥと同じチャネル符号を割り当てるステップ、
を更に有する、請求項５に記載の方法。
【請求項８】
前記２つのＵＥ間のＰ２Ｐ通信が終了する場合に前記Ｐ２Ｐ通信により使用されていた無線リソースを回収するステップ、
を更に有する、請求項７に記載の方法。
【請求項９】
Ｐ２Ｐ通信モードにおいてアクティブＰ２Ｐ  ＵＥの位置及びＰ２Ｐ通信を確立しようと試みる２つのＵＥの位置を検出する検出ユニットと、
検出された位置情報によって、前記２つのＵＥのいずれかが前記２つのＵＥを除くいずれかのアクティブなＵＥのラジオレンジに入るかどうかを判断する判断ユニットと、
前記判断の結果によって、前記２つのＵＥがＰ２Ｐ通信を実行することができるように前記２つのＵＥに対して対応する無線リソースを割り当てる割り当てユニットと、
を有するネットワークシステム。
【請求項１０】
前記無線リソースが、タイムスロット及びチャネル符号についての情報を少なくとも含む、請求項９に記載のネットワークシステム。
【請求項１１】
前記割り当てユニットは、前記判断されたＵＥが前記ラジオレンジに入る場合に前記判断されたＵＥに対して前記アクティブＰ２Ｐ  ＵＥのチャネル符号とは異なるチャネル符号を割り当てる、請求項９に記載のネットワークシステム。
【請求項１２】
前記判断ユニットが、前記判断されたＵＥ及び前記アクティブＰ２Ｐ  ＵＥが同じタイムスロットに割り当てられ且つ前記判断されたＵＥが前記ラジオレンジに入ると決定する場合に、前記割り当てユニットが、前記判断されたＵＥに対して前記アクティブＰ２Ｐ  ＵＥのチャネル符号と異なるチャネル符号を割り当てる、請求項１１に記載のネットワークシステム。
【請求項１３】
前記判断されたＵＥが前記ラジオレンジに入る場合に、前記判断されたＵＥと前記アクティブＰ２Ｐ  ＵＥとの間の位置関係についてのレコードフラグを所定の値にセットするマーキングユニット、
を更に有し、
前記割り当てユニットが、前記アクティブＰ２Ｐ  ＵＥの前記レコードフラグによって前記判断されたＵＥに対して前記アクティブＰ２Ｐ  ＵＥとは異なるチャネル符号を割り当てる、
請求項１１に記載のネットワークシステム。
【発明の詳細な説明】
【技術分野】
【０００１】
本発明は、広くは、ＴＤＤ−ＣＤＭＡ通信システムにおける通信方法及び装置に関し、特に、Ｐ２Ｐ使用可能通信システムにおいてシステム容量を増加する方法及び装置に関する。
【背景技術】
【０００２】
従来のセルラー方式移動通信システムにおいて、ＵＥ（ユーザ機器）は、２つのＵＥ間の距離に関わらず基地局の中継を介してのみ他のＵＥと通信しなければならない。図１は、この従来の通信モードを図示しており、ＵＥ１及びＵＥ２は、基地局トランシーバ（即ちノードＢ）及びＲＮＣからなるＵＴＲＡＮを介して情報を交換し、この通信モードはＵＰ−ＵＴＲＡＮ−ＤＯＷＮモードとも呼ばれる。しかしながら、同じセル内の２つのＵＥ間の距離が非常に近い場合、前記２つのＵＥが基地局の中継を介するのではなく直接的に通信することは、より合理的であることができる。この方法は、いわゆるピア・ツー・ピア通信、略してＰ２Ｐである。
【０００３】
図２は、Ｐ２Ｐ通信モードを図示する。図２に示されるように、破線は信号リンクを表し、実線はデータリンクを表し、矢印は情報フローの方向を表す。信号リンクのみがＵＴＲＡＮとＵＥとの間に存在し、データリンクのみが２つの通信しているＵＥ間に存在する。基本的な通信を維持するリソースのみが必要とされると仮定する。データリンクが（固定周波数、タイムスロット及び拡散符号を持つ）無線リソースの１つのユニットとして見なされる場合、Ｐ２Ｐ通信モードは、基本的な通信を維持するために無線リソースの２つのユニットのみを必要とすることが容易に引き出されることができる。管理に対する追加の信号コストが無視される場合、Ｐ２Ｐ通信は、従来の通信モードより約５０％の無線リソースを節約することができる。その一方で、ＵＴＲＡＮは、Ｐ２Ｐ通信、特に無線リソースの使い方に対する制御を依然として保持し、したがってネットワークオペレータは、Ｐ２Ｐ通信において使用される無線リソースに対して容易に課金することができる。
【０００４】
時分割複信（ＴＤＤ）エアインターフェースが、異なるアップリンク及びダウンリンクトラフィック要件に対してより順応性のある適合を提供する通信規格であると一般に受け入れられている。ＴＤＤ通信方式に基づく既存の３Ｇシステムの中で、ＴＤ−ＳＣＤＭＡ（時分割−同期符号分割多重アクセス）システムは、同じ搬送周波数がアップリンク通信及びダウンリンク通信の両方に適用され、これが移動端末のＲＦ（無線周波数）モジュールを単純化することができるので、Ｐ２Ｐ通信及び従来の通信モードの組み合わせに対して最も適したシステムである。
【０００５】
出願番号０３１１９８９２．９の、２００３年３月７日にKONINKLIJKE PHILIPS ELECTRONICS N.V.により出願された“A Method and Apparatus for Establishing P2P Communication in Wireless Communication Networks”と題された特許出願に記載された無線通信ネットワークにおいてＰ２Ｐ通信を確立する方法及び装置は、ＴＤ−ＳＣＤＭＡシステムを含む如何なるＴＤＤ−ＣＤＭＡ通信システムに対しても適しており、参照によりここに組み込まれる。
【０００６】
出願番号０３１１９８９５．３の、２００３年３月７日にKONINKLIJKE PHILIPS ELECTRONICS N.V.により出願された“A Method and Apparatus for Radio Link Establishment and Maintenance with P2P Communication in Wireless Communication Networks”と題された特許出願に記載された無線通信ネットワークにおいてＰ２Ｐ通信を持つ無線リンクの確立及び維持に対する方法及び装置は、ＴＤ−ＳＣＤＭＡシステムを含む如何なる無線通信システムに対しても適しており、参照によりここに組み込まれる。
【０００７】
既存のＴＤ−ＳＣＤＭＡシステムと同じランダムアクセスプロシージャによりＵＴＲＡＮとのアップリンク同期を確立した後に、ＵＥは、出願番号０３１１９８９２．９の特許出願文書に記載された方法及び装置を使用して、他のＵＥとのＰ２Ｐ直接リンクを確立することができ、即ち２つのＰ２Ｐ  ＵＥに対して対応する専用リソースを割り当てる。この場合、前記２つのＵＥ間の直接リンクは、出願番号０３１１９８９５．３の特許出願文書に記載された方法及び装置により確立され、維持されることができ、この結果、前記２つのＵＥが、夫々割り当てられたタイムスロットにおいてＰ２Ｐ信号を受信及び送信することができ、したがって２つのＵＥ間のＰ２Ｐ通信が達成されることができる。
【０００８】
しかしながら、Ｐ２Ｐ通信の導入は、ＴＤ−ＳＣＤＭＡ通信システムにおける従来のＵＰ−ＵＴＲＡＮ−ＤＯＷＮ通信モードを変化させる。従来のリンクがＰ２Ｐリンクと同じタイムスロットを共有する場合、従来のアップリンク及び／又はダウンリンク通信は、Ｐ２Ｐリンクにおける通信との干渉を不可避的に生じ、これは、Ｐ２Ｐ使用可能ＴＤＤ−ＣＤＭＡ通信システムの性能を深刻に劣化する可能性が高い。
【０００９】
図３は、ＴＤ−ＳＣＤＭＡ通信システムにＰ２Ｐを導入することにより引き起こされる様々な起こり得る干渉を示す。ＵＥ  ＡからＵＥ  Ｂに送信された信号Ｓ２は、ＵＥ  Ｃから基地局Ｂに送信された信号Ｓ１と同じアップリンクタイムスロットを共有し、したがってＵＥ  Ｂは、ＵＥ  Ｃのラジオレンジに入る場合に前記アップリンクタイムスロットにおいて信号を受信する場合にＵＥ  ＡからのＰ２Ｐ信号及びＵＥ  Ｃからの無線信号を受信することができ、同時に、ＵＥ  Ｃにより送信された信号Ｓ１は、ＵＥ  Ｂに対する干渉信号Ｉ１になり、ＵＥ  Ａにより送信された信号Ｓ２は、前記基地局に対する干渉信号Ｉ２になる。同様に、ＵＥ  ＣがＵＥ  ＢのＰ２Ｐラジオレンジ内に入る場合、ＵＥ  ＢからＵＥ  Ａに送信された信号Ｓ４が基地局ＢからＵＥ  Ｃに送信された信号Ｓ３と同じダウンリンクタイムスロットを共有する場合、信号Ｓ４はＵＥ  Ｃに対する干渉信号Ｉ４になり、信号Ｓ３はＵＥ  Ａに対する干渉信号Ｉ３になる。更に、無線干渉が、同じタイムスロットを共有することによりＰ２Ｐ通信対ＵＥ  Ａ及びＵＥ  Ｂと、Ｐ２Ｐ通信対ＵＥ  Ｄ及びＵＥ  Ｅとの間に生じる場合、干渉信号Ｉ５及びＩ６が存在する。
【００１０】
上記干渉信号Ｉ２に関して、詳細な説明は、出願番号０３１１９８９４．５の、２００３年３月７日にKONINKLIJKE PHILIPS ELECTRONICS N.V.により出願された“A Method and Apparatus for Maintaining Uplink Synchronization with P2P Communication in Wireless Communication Networks”と題された特許出願、及び出願番号０３１２３７３８．Ｘの、２００３年５月１９日にKONINKLIJKE PHILIPS ELECTRONICS N.V.により出願された“A Method and Apparatus for Maintaining Uplink Synchronization with P2P Communication in Wireless Communication Networks”と題された他の特許出願において提案されたように、干渉信号Ｉ２を軽減する２つの方法及び装置に対して夫々与えられ、参照によりここに組み込まれる。
【００１１】
出願番号０３１１０４１５．０の、２００３年４月１１日にKONINKLIJKE PHILIPS ELECTRONICS N.V.により出願された“A Method and Apparatus for Supporting P2P Communication in TDD CDMA Communication Systems”と題された他の特許出願に記載された干渉信号Ｉ３を相殺する方法及び装置が提案され、参照によりここに組み込まれる。
【００１２】
上記干渉信号Ｉ１、Ｉ４、Ｉ５及びＩ６に関して、出願番号０３１２３７４０．１の、２００３年５月１９日にKONINKLIJKE PHILIPS ELECTRONICS N.V.により出願された“A Method and Apparatus for Supporting P2P Communication in TDD CDMA Communication Systems”と題された特許出願、及びアーカイブシリアル番号ＣＮ０３００５１及び出願番号２００３１０１１５６５８．９の、２００３年１１月１０日にKONINKLIJKE PHILIPS ELECTRONICS N.V.により出願された“A Method and Apparatus for Mitigating P2P Interferences in P2P-enabled Communication Systems”と題された他の特許出願に記載されるように、干渉信号Ｉ１、Ｉ４、Ｉ５及びＩ６を軽減する２つの方法及び装置が提案され、参照によりここに組み込まれる。
【００１３】
上記干渉信号Ｉ１、Ｉ４、Ｉ５及びＩ６は、２つのタイプ、即ちＩ１及びＩ４のような従来のＵＥとＰ２Ｐ  ＵＥとの間で引き起こされる干渉、及びＩ５及びＩ６のようなＰ２Ｐ  ＵＥの２つの対の間で引き起こされる干渉に分類されることができる。
【００１４】
ＣＤＭＡシステムにおいて、システム性能を向上することができる拡散技術が周知である。しかしながらセルに対して、拡散技術に使用されるべき直交チャネル符号の数は限られており、したがってシステム容量は、利用可能な直交チャネル符号に非常に関連付けられる。
【発明の開示】
【発明が解決しようとする課題】
【００１５】
本発明の目的は、システム容量を増加することができ、Ｐ２Ｐ通信ＵＥの対の間の干渉を回避することができる、Ｐ２Ｐ使用可能通信システムにおいてシステム容量を増加する方法及び装置を提供することである。
【課題を解決するための手段】
【００１６】
ネットワークシステムにより実行され、Ｐ２Ｐ通信システム容量を増加する方法が本発明において提案され、前記方法は、（ａ）アクティブＰ２Ｐ通信ＵＥの位置及びＰ２Ｐ通信を確立しようと試みている２つのＵＥの位置を検出するステップと、（ｂ）検出された位置情報によって前記２つのＵＥのいずれかがいずれかのアクティブなＵＥのラジオレンジに入るかどうかを判断するステップと、（ｃ）前記判断の結果によって、前記２つのＵＥに対してＰ２Ｐ通信を使用可能にするために前記２つのＵＥに対して対応する無線リソースを割り当てるステップとを有する。
【００１７】
本発明の好適な実施例の詳細な説明のために、ここで添付図面が参照される。
【発明を実施するための最良の形態】
【００１８】
本発明の詳細な説明
上述のように、図３における干渉信号Ｉ１、Ｉ４、Ｉ５及びＩ６は、サポートされるＰ２Ｐ無線伝送レンジが限られているので、全てＵＥの位置及び距離に関連しており、特に２つのＰ２Ｐリンク対の間のＩ５及びＩ６が関連している。２つのＰ２Ｐリンク対の間の距離が十分に離れている場合、干渉信号Ｉ５及びＩ６は、同じ無線リソースを使用する場合でさえも、ほとんど無視されることができる。近接したＰ２Ｐリンク対により形成された無線伝送範囲を擬似セルと見なす場合、これは、ピコセル又はセル分割概念と同様である。
【００１９】
本発明において、Ｐ２Ｐリンク対により形成されたラジオレンジは、限られた無線伝送レンジ及び伝送パワーを持つＰ２Ｐ通信の特徴を完全に利用する擬似セルと見なされる。各擬似セル間の距離が特定のレンジを超過する限り、同じチャネル符号が、擬似セル内のＰ２Ｐリンク対及び他の擬似セル内のＰ２Ｐリンク対に割り当てられることができ、上記干渉信号Ｉ５及びＩ６を引き起こすことなく通信システムに対する容量を増加する。
【００２０】
図４に示されるように、３つのＰ２Ｐリンク対ＵＥ１及びＵＥ２、ＵＥ３及びＵＥ４、並びにＵＥ５及びＵＥ６が３つの擬似セルを形成し、前記３つの擬似セルの間の距離は十分に離れており、したがって１つの擬似セル内の２つのＵＥ間のＰ２Ｐ通信は、他の２つの擬似セル内の継続中のＰ２Ｐ通信により干渉されない。したがって、同じチャネル符号が前記３つの擬似セル内のＰ２Ｐリンクに対して割り当てられることができ、２つの節約されたチャネル符号は他のＵＥに割り当てられることができ、システム容量を増加する。
【００２１】
ＴＤ−ＳＣＤＭＡシステムは、図５と合わせて、本発明においてチャネル符号を再使用することによりシステム容量を増加する方法を説明するために例示される。
【００２２】
第一に、ＵＥ１及びＵＥ２は、電源オンの後に従来の通信モードにおけるセル検索プロシージャによりキャンプ（camp）するのに適したセルを検索する（ステップＳ１０）。次いで、ＵＥ１及びＵＥ２は、出願番号０３１１９８９５．３の上記出願に開示された方法及び装置を使用することによりＵＥ１とＵＥ２との間にＰ２Ｐリンクを確立しようと試みる（ステップＳ２０）。
【００２３】
この後に、ＵＴＲＡＮが、前記セル内の全てのアクティブＰ２Ｐ  ＵＥの位置を検出し、各アクティブなＵＥとＵＥ１及び／又はＵＥ２との間の位置関係についてレコードフラグを初期化する（ステップＳ３０）。ここで、前記ＵＴＲＡＮは、アップリンクを介して又はＧＰＳを通して各アクティブなＵＥ並びにＵＥ１及びＵＥ２により送られたレポートメッセージによって位置情報を得ることができる。
【００２４】
検出された前記位置情報によって、前記ＵＴＲＡＮは、ＵＥ１及び／又はＵＥ２がアクティブＰ２Ｐ  ＵＥのラジオレンジに入るかどうかを判断する（ステップＳ４０）。
【００２５】
前記ＵＴＲＡＮがどのようにして前記判断の結果によって無線リソースを割り当てるのかに対して、ＵＥ１を例にとることにより以下に記載される。
【００２６】
前記判断の結果は、ＵＥ１がアクティブなＵＥのラジオレンジに入ることを示す場合、前記アクティブなＵＥとＵＥ１との間の位置関係についてのレコードフラグは、ＵＥ１及び前記アクティブなＵＥが同じタイムスロットに割り当てられ、ＵＥ１及び前記アクティブなＵＥがＰ２Ｐ通信を使用可能にするために異なるチャネル符号を使用すべきであることを表す特定の値、例えば１（ステップＳ５０）としてセットされる。
【００２７】
前記判断の結果は、ＵＥ１がアクティブなＵＥのラジオレンジを越えた位置にあることを示す場合、前記アクティブなＵＥとＵＥ１との間の位置関係についてのレコードフラグは、ＵＥ１及び前記アクティブなＵＥが同じタイムスロットに割り当てられ、ＵＥ１及び前記アクティブなＵＥが同じチャネル符号を使用してＰ２Ｐ通信を可能にすることができることを表す特定の値、例えば０（ステップＳ６０）としてセットされる。
【００２８】
上記検出、判断、前記アクティブなＵＥに対してレコードフラグをセットするステップを実行した後に、前記ＵＴＲＡＮは、ＵＥ１及び／又はＵＥ２が他のアクティブなＵＥのラジオレンジに入るかどうかを検出する（ステップＳ７０）。
【００２９】
前記セル内の全てのアクティブＰ２Ｐ  ＵＥに対してＳ４０からＳ６０までの上記ステップを実行した後に、前記ＵＴＲＡＮは、ＵＥ１及びＵＥ２と各アクティブなＵＥとの間の位置関係についての前記レコードフラグによってＵＥ１及びＵＥ２に対して関連した無線リソースを割り当てる（ステップＳ８０）。即ち、アクティブなＵＥ及びＵＥ１又はＵＥ２に対する前記レコードフラグが１であり、ＵＥ１及びＵＥ２に対して割り当てられるべきタイムスロットが事前無線リソース割り当て方式により前記アクティブなＵＥと同じである場合、ＵＥ１及びＵＥ２に対して割り当てられるべきチャネル符号は、前記アクティブなＵＥに対するものとは異なるべきであり、前記アクティブなＵＥ並びにＵＥ１及びＵＥ２に対する前記レコードフラグが両方とも０である場合、同じチャネル符号がＵＥ１及びＵＥ２並びに前記アクティブなＵＥに対して割り当てられることができる。前記ＵＴＲＡＮにより割り当てられた無線リソースは、前記チャネル符号についての情報を含むだけでなく、現在のセルのコードグループにより使用されるスクランブル符号及びタイムスロットについての情報をも含む。
【００３０】
この場合、ＵＥ１及びＵＥ２は、前記ＵＴＲＡＮにより割り当てられた無線リソースを使用するＰ２Ｐリンクを介して通信する。Ｐ２Ｐ通信の間に、前記Ｐ２Ｐリンクは、前記Ｐ２Ｐリンクに割り当てられた無線リソースが変化する、例えば前記Ｐ２Ｐリンクに対して割り当てられたタイムスロットが変化する場合を除き、前記割り当てられたチャネル符号を常に使用する。ＵＥ１及びＵＥ２がＰ２Ｐ通信を終了する場合、ＵＥ１及びＵＥ２はＰ２Ｐリンクを解放する（ステップＳ９０）。ＵＥ１及びＵＥ２が前記Ｐ２Ｐリンクを解放した後に、前記ＵＴＲＡＮは、前記Ｐ２Ｐリンクにより使用されていた無線リソースを回収し、無線リソースレコードを更新する（ステップＳ１００）。
【００３１】
Ｐ２Ｐ使用可能ＴＤ−ＳＣＤＭＡシステムにおいてシステム容量を増加する上記方法は、コンピュータソフトウェア、若しくはハードウェア、又はソフトウェア及びハードウェアの組み合わせで実施されることができる。
【００３２】
図６は、Ｐ２Ｐ使用可能ＴＤ−ＳＣＤＭＡシステムにおいてシステム容量を増加する本発明の一実施例におけるネットワークシステムを図示するブロック図であり、従来のネットワークシステムと同じ構成要素は与えられていない。
【００３３】
図６が示すように、ネットワークシステム１００は、アクティブＰ２Ｐ  ＵＥの位置及びＰ２Ｐ通信を確立しようと試みる２つのＵＥの位置を検出し、アップリンクを介して又はＧＰＳにより前記アクティブＰ２Ｐ  ＵＥ並びにＵＥ１及びＵＥ２により送信されたレポートメッセージから位置情報を得ることができる検出ユニット１０１と、前記検出された位置情報によって、ＵＥ１及び／又はＵＥ２がアクティブなＵＥのラジオレンジに入るかどうかを判断する判断ユニット１０２と、ＵＥ１及び／又はＵＥ２がいずれかのアクティブＰ２Ｐ  ＵＥのラジオレンジに入る場合に、前記アクティブＰ２Ｐ  ＵＥのレコードフラグを所定の値、例えば１にセットするマーキングユニット１０４と、ＵＥ１及びＵＥ２がＰ２Ｐ通信を実行することができるように、前記アクティブＰ２Ｐ  ＵＥのレコードフラグによりＵＥ１及びＵＥ２に対して関連した無線リソースを割り当てる割り当てユニット１０３とを含む。即ち、ＵＥ１及び／又はＵＥ２がアクティブＰ２Ｐ  ＵＥのラジオレンジに入り、ＵＥ１又はＵＥ２及び前記アクティブＰ２Ｐ  ＵＥが同じタイムスロットに割り当てられる場合に、ＵＥ１及びＵＥ２は、前記アクティブＰ２Ｐ  ＵＥとは異なるチャネル符号を割り当てられる。
【００３４】
上述のように、本発明におけるチャネル符号再使用は、主に、ＣＤＭＡ通信システム容量を増加するためにセル分割概念（ミニセル）を利用する。本発明による通信方法及び装置は、同じセル内であってもセル分割によりチャネル符号の再使用を実施することができる。符号リソースを割り当てる場合、前記ＵＴＲＡＮは、同じチャネル符号を再使用する異なる擬似セル間の干渉を最小化するために、セル全体の全てのアクティブなＵＥを考慮に入れるべきである。
【００３５】
本発明の有益な結果
上述のように、本発明において規定されるＰ２Ｐ使用可能通信システムにおいてシステム容量を増加する方法及び装置に関して、同じチャネル符号が、異なる近接したＰ２Ｐリンク対がキャンプする擬似セルにおいてＰ２Ｐ通信を確立しようと試みるＵＥの異なる対に対して割り当てられることができる。したがって、本発明における方法及び装置は、通信システム容量を増加することができ、異なるＰ２Ｐリンク対は互いに対する干渉を生じない。
【００３６】
本発明において開示されるＰ２Ｐ使用可能通信システムにおいてシステム容量を増加する方法及び装置が、ここでＴＤ−ＳＣＤＭＡシステムに限定されず、ＣＤＭＡシステムにおける臨時通信及びマルチホップ通信に対して使用されるように適用されることもできると、当業者により理解されるべきである。
【００３７】
本発明において開示されるＰ２Ｐ使用可能通信システムにおいてシステム容量を増加する方法及び装置が、添付の請求項により規定される本発明の精神及び範囲から外れることなく大幅に修正されることができると、当業者により理解されるべきでもある。
【図面の簡単な説明】
【００３８】
【図１】従来の通信モードにおいて基地局の中継を介して通信する２つのＵＥを図示する概略図である。
【図２】Ｐ２Ｐ通信モードにおいて通信する２つのＵＥを図示する概略図である。
【図３】ＴＤ−ＳＣＤＭＡシステムにＰ２Ｐ通信モードを導入することにより引き起こされる様々な干渉信号を図示する概略図である。
【図４】共通のサービスしているセル内の幾つかの擬似セルに分類されるＵＥの幾つかの対を図示する概略図である。
【図５】本発明におけるチャネル符号を再使用することによりシステム容量を増加する方法がどのようにＵＥ１、ＵＥ２及びＵＴＲＡＮにより実行されるかを図示する概略図である。
【図６】Ｐ２Ｐ使用可能ＴＤ−ＳＣＤＭＡシステムにおいてシステム容量を増加する本発明の一実施例を図示するブロック図である。
【図１】
2007512755.tif 000003
【図２】
2007512755.tif 000004
【図３】
2007512755.tif 000005
【図４】
2007512755.tif 000006
【図５】
2007512755.tif 000007
【図６】
2007512755.tif 000008
【国際調査報告】
2007512755.tif 000009
2007512755.tif 000010
2007512755.tif 000011